(57)【要約】      （修正有）【課題】光ファイバで縦列接続された少なくとも２つの光回路を信号伝達系に有し、伝送路を介して送受信をし、障害箇所の特定が容易な光通信装置の提供。【解決手段】光伝送路５０の断線障害のとき、ラマンアンプ１０は、主信号断及び監視信号断の警報を発出し、光アンプ１１は主信号断の警報を発出し、監視信号送受信部１４は監視信号断を検出する。他方、光ファイバ１５で障害１００が発生したとき、監視信号送受信部１４がＡＰＲ制御を行うので、光アンプ２３は主信号の出力を停止し、監視信号の出力は継続する。ラマンアンプ１０は、主信号断警報を発出するが、監視信号断は検出しない。光アンプ１１は主信号断の警報を発出し、監視信号送受信部１４は監視信号断を検出する。監視部１７は、ラマンアンプ１０及び光アンプ１１による信号断警報並びに監視信号送受信部１４による監視信号断の検出の有無の組み合わせに基づいて、障害箇所を特定する。【選択図】図１
2011019140.tif 000002
【特許請求の範囲】
【請求項１】
主信号と監視信号とが多重された光信号を受信する光信号受信手段と、
前記光信号受信手段の出力端に光線路を介して接続され、前記監視信号の有無を検知し、該監視信号が検知されないときは、前記主信号の送信元に対し該主信号の送信停止を命令する主信号送信停止命令を出力する監視信号送受信部とを有し、
前記光信号受信手段では前記主信号の断が検知されたにも拘わらず前記監視信号の断が検知されず、かつ前記監視信号送受信部では前記監視信号の断が検知されたとき、前記光線路に障害が生じたと判断する光通信装置。
【請求項２】
前記光信号受信手段では前記主信号と前記監視信号との両方の信号の断が検知され、前記監視信号送受信部では前記監視信号の断が検知されたときは、前記信号元から前記光信号受信手段に至る光伝送路に障害があると判断する請求項１に記載の光通信装置。
【請求項３】
前記監視信号送受信部は、ＩＴＵ−Ｔ規格に定義されているＡＰＲ（Automatic  Power  Reduction）制御機能を有し、該ＡＰＲ制御機能により前記主信号送信停止命令としてＡＰＲ実行命令を送信する請求項１又は２に記載の光通信装置。
【請求項４】
前記光信号受信手段はラマンアンプであり、
前記光線路経由で受けた前記ラマンアンプの出力を増幅する光アンプを有し、
前記監視信号送受信部は前記光アンプで分岐された前記監視信号を検知し、
前記ラマンアンプの出力端は前記光アンプの入力端に前記光線路で直接に接続されている
ことを特徴とする請求項１乃至３の何れかに記載の光通信装置。
【請求項５】
前記光信号受信手段における前記主信号および前記監視信号の検知情報並びに前記監視信号送受信部における前記監視信号の検知情報を受け、前記信号元から前記光信号受信手段に至る光伝送路および前記光線路の障害の有無を判断する障害箇所特定部を有する請求項１乃至４の何れかに記載の光通信装置。
【請求項６】
前記障害箇所特定部は、前記光信号受信手段で検知した前記主信号および前記監視信号の有無に関する情報である光信号受信手段検知情報、並びに前記監視信号送受信部で検知した前記監視信号の有無に関する情報である監視信号送受信部検知情報を含む情報の組み合わせと障害箇所とを関連付けた障害箇所特定テーブルを備え、該障害箇所特定テーブルを参照することにより、障害の発生箇所を特定する請求項１乃至５の何れかに記載の光通信装置。
【請求項７】
光信号である主信号の伝達系として光ファイバにより縦列接続された複数の光回路と、対向装置との間で光伝送路を介して光信号の監視信号を送受信する監視信号送受信部とを有し、前記対向装置との間で前記光伝送路を介して前記主信号および前記監視信号を多重して送受信する光通信装置であって、
複数の前記光回路における前記主信号の断の有無および前記監視信号の断の検知の有無並びに前記監視信号送受信部における前記監視信号の断の検知の有無の組み合わせに基づいて、障害の発生を検知するとともに、発生した該障害の発生箇所を特定する障害箇所特定部を有し、
前記監視信号送受信部は、前記主信号の断および前記監視信号の断の情報が初段の前記光回路から前記障害箇所特定部に入力されたとき、前記主信号の送信停止命令を前記監視信号により前記対向装置に送信し、
前記光回路の内の１つを光回路Ａ、光回路Ａの後続の前記光回路を光回路Ｂと称するとき、光回路Ａでは、前記主信号の断が検知されたにも拘らず、前記監視信号の断が検知されず、光回路Ｂでは、前記監視信号の入力断が検知されたときは、前記障害箇所特定部は光回路Ａおよび光回路Ｂの間に縦列に接続された光回路または光ファイバに障害があると判断する光通信装置。
【請求項８】
前記障害箇所特定部は、前記障害の発生を検知した際に、障害発生箇所が、前記光伝送路の障害か、前記主信号の伝達系として複数の前記光回路間を接続する装置内の前記光ファイバの障害であるかを判別するとともに、装置内の前記光ファイバの障害であると判別した場合、複数の前記光回路のいずれの光回路間を接続している光ファイバの障害であるかを判別して、判別した障害発生箇所を警報とともに出力する請求項７に記載の光通信装置。
【請求項９】
光回路Ｂの入力端は光回路Ａの出力端に第１の光ファイバで直接に接続してあり、
光回路Ａでは、前記主信号の断が検知されたにも拘らず、前記監視信号の断が検知されず、かつ光回路Ｂでは、前記監視信号の断が検知されたときは、前記障害箇所特定部は前記第１の光ファイバに障害があると判断する請求項７乃又は８に記載の光通信装置。
【請求項１０】
光回路Ａでは、前記主信号と前記監視信号との両方の信号の入力断が検知され、光回路Ｂでは、前記監視信号の入力断が検知された場合は、前記障害箇所特定部は前記光伝送路に障害があると判断する請求項７乃至９の何れかに記載の光通信装置。
【請求項１１】
光回路Ａはラマンアンプであり、光回路Ｂは光アンプであり、該ラマンアンプの出力端は該光アンプの入力端に光ファイバで直接に接続されている請求項７乃至１０の何れかに記載の光通信装置。
【請求項１２】
前記光回路それぞれに少なくとも前記主信号の出力を停止させるスイッチ回路を備え、前記障害箇所特定部は、前記光ファイバの障害であると判別した場合、障害と判別した当該光ファイバが接続されている前段の光回路の前記スイッチ回路を制御して、当該光回路から障害と判別した前記光ファイバへの前記主信号の出力を停止させることを特徴とする請求項７乃至１１の何れかに記載の光通信装置。
【請求項１３】
前記障害箇所特定部は、前記光回路からの前記光信号の断警報と前記監視信号の断警報の有無、および、前記監視信号送受信部からの前記監視信号断警報の有無の組み合わせと障害箇所とを関連付けた障害箇所特定テーブルを備え、該障害箇所特定テーブルを参照することにより、前記障害の発生箇所を特定することを特徴とする請求項７乃至１２の何れかに記載の光通信装置。
【請求項１４】
請求項１乃至１３の何れかに記載の光通信装置を光伝送路により相互に接続して光波長多重信号を伝送する光波長多重伝送システム。
【請求項１５】
主信号と監視信号とが多重された光信号を受信する光信号受信手段と、
前記光信号受信手段の出力端に光線路を介して接続され、前記監視信号の有無を検知し、該監視信号が検知されないときは、前記主信号の送信元に対し該主信号の送信停止を命令する主信号送信停止命令を出力する監視信号送受信部とを有する光通信装置における前記光線路の障害を検出する方法であって、
前記光信号受信手段において前記主信号の断が検知されたにも拘わらず前記監視信号の断が検知されず、かつ前記監視信号送受信部では前記監視信号の断が検知されたとき、前記光線路に障害が生じたと判断する光線路障害検出方法。
【請求項１６】
光信号である主信号の伝達系として光ファイバにより縦列接続された複数の光回路と、対向装置との間で光伝送路を介して光信号の監視信号を送受信する監視信号送受信部とを有し、前記対向装置との間で前記光伝送路を介して前記主信号および前記監視信号を多重して送受信する光通信装置における光線路障害検出方法であって、
複数の前記光回路における前記主信号の断の有無および前記監視信号の断の有無並びに前記監視信号送受信部における前記監視信号入力断の検知の有無の組み合わせに基づいて、障害の発生を検知するとともに、発生した該障害の発生箇所を特定し、
前記主信号の断および前記監視信号の断の情報が初段の前記光回路から前記障害箇所特定部に入力されたとき、前記主信号の送信停止命令を前記監視信号により前記対向装置に送信し、
前記光回路の内の１つを光回路Ａ、光回路Ａの後続の前記光回路を光回路Ｂと称するとき、光回路Ａでは、前記主信号の入力断が検知されたにも拘らず、前記監視信号の断が検知されず、光回路Ｂでは、前記監視信号の断が検知されたときは、光回路Ａおよび光回路Ｂの間に縦列に接続された光回路または光ファイバに障害があると判断する
光線路障害検出方法。
【請求項１７】
請求項１５又は１６に記載の光線路障害検出方法を、コンピュータによって実行可能なプログラムとして実施する光線路障害検出プログラム。
【請求項１８】
請求項１７に記載の光線路障害検出プログラムを記録した、コンピュータによって読み取り可能なプログラム記録媒体。
【発明の詳細な説明】
【技術分野】
【０００１】
本発明は、光通信装置、光波長多重伝送システム、光線路障害検出方法、光線路障害検出プログラム及びプログラム記録媒体に関する。
【背景技術】
【０００２】
近年、光波長多重装置として、特許文献１の特開２００６−３４５０７０号公報「光伝送システム」にも記載されているように、エルビウムドープ光ファイバ増幅器（ＥＤＦＡ：Erbium  Doped  Fiber  Amplifier）等の光アンプの前段に、強い励起光を用いて光信号をラマン増幅するラマンアンプを配置する構成とすることによって、光増幅帯域を拡大しつつ光中継損失の低減を効果的に行う光波長多重装置が開発されている。図３は、関連技術の光波長多重装置を用いた光波長多重伝送システムのシステム構成を示す構成図であり、光波長多重装置１Ａ，２Ａが光伝送路５０，５１を介して対向して接続されている構成を示している。以下には、本発明の関連技術および本発明の実施の形態として、光波長多重装置を例示するが、光波長多重装置は本発明の光通信装置に含まれる装置である。
【０００３】
図３に示す光波長多重伝送システムにおいて光波長多重装置１Ａ、２Ａは、いずれも受信部及び送信部を有してなる。光波長多重装置１Ａの受信部は、ラマンアンプ１０と光アンプ１１とを光ファイバ１５を介して縦列接続してなる。光波長多重装置１Ａの送信部は、光アンプ１３でなる。また、光波長多重装置２Ａの受信部は、ラマンアンプ２０と光アンプ２１とを光ファイバ２５を介して縦列接続してなる。光波長多重装置２Ａの送信部は、光アンプ２３でなる。
【０００４】
図３の光波長多重装置１Ａ,２Ａは、対向装置それぞれからの光信号を受信する受信部において、後段に接続されている光アンプ１１，２１それぞれから出力される主信号（光波長多重信号）の平坦性をモニタして、光アンプ１１，２１にフィードバックを行うことにより、主信号（光波長多重信号）の出力スペクトルを平坦にする制御を行っている。同様に、光波長多重装置１Ａ,２Ａそれぞれの他の方路からの光信号を受信して、対向装置それぞれへ光信号を送信する送信部においても、後段に接続されている光アンプ１３，２３それぞれから出力される主信号（光波長多重信号）の平坦性をモニタして、光アンプ１３，２３にフィードバックを行うことにより、主信号（光波長多重信号）の出力スペクトルを平坦にして送信する制御を行っている。
【０００５】
また、光波長多重装置１Ａ及び２Ａは、監視信号送受信部１４及び２４をそれぞれ有している。監視信号送受信部１４，２４は、対向装置それぞれからの光信号を受信する受信部を構成する光アンプ１１，２１とそれぞれへの光信号を送信する送信部を構成する光アンプ１３，２３とに、監視信号〔ＯＳＣ（Optical  Supervisory  Channel）信号〕をそれぞれ送受信する。ＯＳＣ信号つまり監視信号は、光波長多重装置１Ａ及び２Ａ間の制御信号として用いられる。
【０００６】
図３のようなシステム構成において、例えば、光伝送路５０にて光ファイバカット（光ファイバの切断）等の障害が発生した場合、光アンプ１１において主信号入力断警報が発生し、光アンプ１１からの信号を監視している監視信号送受信部１４においても監視信号の入力断警報が発生する。
【０００７】
さらに、監視信号送受信部１４は、ＩＴＵ−Ｔ  Ｇ．６６４規格に定められているＡＰＲ（Automatic  Power  Reduction）制御（光出力信号レベルをあらかじめ定めたレベルまで低下させる制御）を行い、対向装置である光波長多重装置２Ａに対して、送信部の光アンプ１３を介して、ＡＰＲ制御を実施することを指示するＯＳＣ信号を送信する。該ＯＳＣ信号を監視信号送受信部２４にて受信した光波長多重装置２Ａでは、ＯＳＣ信号により指示されたＡＰＲ制御を行い、光伝送路５０への光信号の出力レベルを低下させる。
【０００８】
かかるＡＰＲ制御を行うことによって、光信号の出力レベルが低下した状態に移行させることにより、光伝送路５０の復旧作業を行う際に、作業員に対する影響を低減させることができる。
【先行技術文献】
【特許文献】
【０００９】
【特許文献１】特開２００６−３４５０７０号公報（第６−７頁）
【発明の概要】
【発明が解決しようとする課題】
【００１０】
前述のように、図３に示すような関連技術の光波長多重装置においては、例えば、光伝送路５０に光ファイバカット（光ファイバの切断）等の障害が発生し、入力光信号が遮断した場合、受信側の光波長多重装置１Ａの監視信号送受信部１４において、監視信号の遮断を検出するとともに、光アンプ11から主信号断の情報を受け、ＩＴＵ-Ｔ  Ｇ．６６４に定義されているＡＰＲ制御を行うが、かかる入力光信号の遮断状態は、光波長多重装置１Ａ，２Ａ間の光伝送路５０の障害だけではなく、例えば、ラマンアンプ１０と光アンプ１１とを縦列に接続をしている光ファイバ１５の障害が発生した場合であっても、同様に発生する。
【００１１】
つまり、図３において、ラマンアンプ１０と光アンプ１１との間の光ファイバ１５に障害が発生した場合、光アンプ１１において主信号（光波長多重信号）の入力断警報が発生するとともに、監視信号送受信部１４において監視信号の入力断警報が発生するため、監視信号送受信部１４は、前述の光伝送路５０の障害の場合と同様に、ＡＰＲ制御を行う。その結果として、対向装置側の光波長多重装置２の光アンプ２３の出力レベルを低下させる状態に移行する。
【００１２】
かくのごとく、光信号の増幅機能を有するラマンアンプと光アンプとが縦列接続されているように、光信号の伝達系として複数の光回路を縦列接続している回路構成の場合、関連技術の光波長多重装置においては、縦列接続した光回路を接続している装置内の光ファイバに障害があるにも関わらず、障害箇所の特定ができていないため、対向装置との間を接続する光伝送路の障害と同等に扱うことになり、障害ではない光伝送路の交換作業まで実施する可能性があり、復旧が大幅に遅れてしまうという問題が発生することになる。
【００１３】
本発明は、かかる事情に鑑みてなされたものであり、たとえ、装置内の光信号の伝達系として複数の回路が縦列接続されている構成であっても、障害箇所の特定を容易にする光通信装置、光波長多重伝送システム、光線路障害検出方法、光線路障害検出プログラム及びプログラム記録媒体を提供することを、その目的としている。
【課題を解決するための手段】
【００１４】
前述の課題を解決するため、本発明による光装置は、次のような特徴的な構成を採用している。
【００１５】
（１）主信号と監視信号とが多重された光信号を受信する光信号受信手段と、
前記光信号受信手段の出力端に光線路を介して接続され、前記監視信号の有無を検知し、該監視信号が検知されないときは、前記主信号の送信元に対し該主信号の送信停止を命令する主信号送信停止命令を出力する監視信号送受信部とを有し、
前記光信号受信手段では前記主信号の断が検知されたにも拘わらず前記監視信号の断が検知されず、かつ前記監視信号送受信部では前記監視信号の断が検知されたとき、前記光線路に障害が生じたと判断する光通信装置。
【発明の効果】
【００１６】
本発明によれば、障害箇所の特定が容易な光通信装置、光波長多重伝送システム、光線路障害検出方法、光線路障害検出プログラム及びプログラム記録媒体を提供できる。
【図面の簡単な説明】
【００１７】
【図１】本発明による光波長多重装置を用いた光波長多重伝送システムの一実施形態のシステム構成を示す図である。
【図２】障害箇所を切り分ける障害箇所特定テーブルの一例を示す図である。
【図３】関連技術の光波長多重装置を用いた光波長多重伝送システムを示す構成図である。
【発明を実施するための形態】
【００１８】
以下、本発明による光通信装置、光波長多重伝送システム、光線路障害検出方法、光線路障害検出プログラム及びプログラム記録媒体の好適な実施例について添付図を参照して説明する。以下の実施形態の説明においては、光通信装置の一例として、図３に示したようなラマンアンプと光アンプとが装置内の光ファイバにより縦列接続されている光波長多重装置を挙げ、説明するが、本発明は、かかる場合に限るものではなく、光信号の伝達系として縦列接続される光回路が、２個のみではなく、３個又はそれ以上の複数個存在していても良いし、また、縦列接続される各光回路が、希土類添加ファイバ増幅器、ラマン増幅器、半導体光増幅器等いずれか１ないし複数種類の増幅器の組み合わせであっても良いし、あるいは、縦列接続される光回路が、光分岐器、光スイッチ、光カプラ等の他の光回路を含む場合であっても差し支えない。
【００１９】
（本発明の特徴）
本発明の実施形態の説明に先立って、本発明の特徴についてその概要をまず説明する。本発明の光通信装置は、主信号と監視信号とが多重された光信号を受信する光信号受信手段と、この光信号受信手段の出力端に光線路を介して接続され、監視信号の有無を検知し、監視信号が検知されないときは、主信号の送信元に対し主信号の送信停止を命令する主信号送信停止命令を出力する監視信号送受信部とを有し、その光信号受信手段では主信号の断が検知されたにも拘わらず前記監視信号の断が検知されず、かつ監視信号送受信部では監視信号の断が検知されたとき、その光線路に障害が生じたとの判断をする。この判断は、障害箇所の特定が容易な光通信装置の提供を可能にし、特に、光信号受信手段と監視信号送受信部との間に介在する光線路の障害と、送信元から送信された主信号及び監視信号との多重信号を光信号受信手段に伝送する光伝送路の障害とを区別する障害の切り分けを容易にする。また、複数の光回路が光ファイバ等の光線路を介して縦列接続された光通信装置、例えば、ラマン散乱の原理を用いて光信号を増幅するラマンアンプと光アンプとを縦列接続した光通信装置において、縦列接続した装置内の複数の光回路それぞれにおいて発生する警報を監視し、各警報を組み合わせることにより、障害箇所を特定する監視部（例えば、ネットワークファームウェア）を光通信装置内に備え、該監視部は、当該装置内の光ファイバの障害と、対向装置との間を接続する光伝送路の障害とを切り分けるとともに、当該装置内の光ファイバの障害の場合、縦列接続されている複数の光回路間のどの部位の光ファイバの障害かを切り分けることを可能としている。
【００２０】
（実施形態の構成）
本実施の形態は、主信号および監視信号を多重した光信号の伝達系として縦列接続された複数の光回路を有し、光伝送路を介して対向する光波長多重装置（通信装置）との間でその光信号を送受信し、主信号および監視信号をそれら光回路で監視する光波長多重装置を複数対向させてなる光波長多重伝送システムであり、障害箇所の特定を容易に行うことができる。この実施の形態の光波長多重伝送システムに適用する光波長多重装置（通信装置）および光線路障害検出方法においても、また、その光線路障害検出方法を実現する光線路障害検出プログラムにおいても、同様に障害箇所の特定を容易にすることができる。
【００２１】
本実施の形態の光波長多重伝送システムにおける光波長多重装置は、それぞれに監視部を備え、監視部において、光信号の伝達系として縦列接続している各光回路の警報状態をモニタした結果を組み合わせることによって、対向装置との光伝送路および縦列接続している各光回路（例えば、光伝送路、装置内のラマンアンプと光アンプとの間の光ファイバ）のどの部位に障害が発生しているかを特定することを可能にし、図３を参照して関連技術として説明した光波長多重伝送システムよりも、障害復旧作業を容易にかつ短時間で行うことを可能にする。その光波長多重装置は、ラマンアンプと光アンプとを縦列接続した光回路を有し、監視部（例えばネットワークファームウェア）は、ラマンアンプ、光アンプおよび監視信号送受信部それぞれで発生する警報を組み合わせることにより、ラマンアンプと光アンプとの間を接続する装置内の光ファイバの障害と、対向装置との間を接続する光伝送路の障害との切り分けを行うことができる。
【００２２】
図１は、本発明による光波長多重装置を用いた光波長多重伝送システムの一実施形態のシステム構成を示す図である。図１の伝送システムは、図３に示した関連技術の構成と同様に、光波長多重装置１，２が光伝送路５０，５１を介して対向して接続されている構成を有している。
【００２３】
ここで、光波長多重装置１，２は、説明を簡単にするために、図３の関連技術の光波長多重装置１Ａ，２Ａと同様に、複数の光回路が装置内の光ファイバを介して縦列接続されている例として、前述のように、エルビウムドープ光ファイバ増幅器（ＥＤＦＡ）等の光アンプの前段に、強い励起光を用いて光信号をラマン増幅するラマンアンプを配置する構成（つまり、２段縦列接続の回路構成例）を有するとしている。しかし、本発明は、光信号の伝達系として２段の光回路が縦列接続する構成の光波長多重装置に限らず、如何なる段数の構成のものにも適用できる。
【００２４】
図１に示すように、本実施形態の光波長多重装置１,２は、図３の関連技術の光波長多重装置１Ａ，２Ａとは異なり、障害箇所を特定する機能を有する監視部１７，２７（前述の障害箇所特定部に相当）をそれぞれ備えている。この監視部１７，２７の詳細は後述する。図１に示す本実施形態の光波長多重装置１,２は、いずれも受信部及び送信部を有してなる。光波長多重装置１の受信部は、ラマンアンプ１０と光アンプ１１とを光ファイバ１５（前述の第１の光ファイバに相当）を介して縦列接続してなる。光波長多重装置１の送信部は光アンプ１３でなる。また、光波長多重装置２の受信部は、ラマンアンプ２０と光アンプ２１とを光ファイバ２５を介して縦列接続してなる。光波長多重装置２の送信部は、光アンプ２３でなる。
【００２５】
また、図１の光波長多重装置１,２は、関連技術として示した図３の光波長多重装置１Ａ，２Ａと同様、対向装置それぞれからの光信号を受信する受信部において、後段に接続されている光アンプ１１，２１それぞれから出力される主信号（光波長多重信号）の平坦性をモニタして、光アンプ１１，２１にフィードバックを行うことにより、主信号（光波長多重信号）の出力スペクトルを平坦にする制御を行っている。同様に、光波長多重装置１,２それぞれの他の方路からの光信号を受信して、対向装置それぞれへ光信号を送信する送信部においても、後段に接続されている光アンプ１３，２３それぞれから出力される主信号（光波長多重信号）の平坦性をモニタして、光アンプ１３，２３にフィードバックを行うことにより、主信号（光波長多重信号）の出力スペクトルを平坦にして送信する制御を行っている。
【００２６】
また、光波長多重装置１,２は、図３の関連技術の光波長多重装置１Ａ，２Ａと同様に、対向装置それぞれからの光信号を受信する受信部を構成する光アンプ１１，２１とそれぞれへの光信号を送信する送信部を構成する光アンプ１３，２３とには、それぞれ、ＯＳＣ（Optical  Supervisory  Channel）信号を送受信する監視信号送受信部１４，２４を有している。そこで、光波長多重装置１,２は、監視信号送受信部１４，２４により対向装置間で、ＯＳＣ信号つまり監視信号を、局間の制御信号として相互に送受信する。また、監視信号送受信部１４は、光アンプ１１及び１３に入力された光信号を分岐して受けることにより、光アンプ１１及び１３に入力されるＯＳＣ信号のレベルを監視し、ＯＳＣ信号のレベルが所定の閾値以下であれば、ＯＳＣ信号断の警報を発出する。監視信号送受信部２４も同様に、光アンプ２１及び２３に入力される光信号を分岐して受けることにより、光アンプ２１及び２３に入力されるＯＳＣ信号のレベルを監視し、ＯＳＣ信号のレベルが所定の閾値以下であれば、ＯＳＣ信号断の警報を発出する。
【００２７】
次に、図３の光波長多重装置１Ａ，２Ａに比べて、図１の光波長多重装置１,２に新たに追加した監視部１７，２７について説明する。光波長多重装置１,２の監視部１７，２７は、前述のように、障害箇所を切り分けて特定する機能を有する部位であり、光信号の伝達系として光ファイバによって縦列接続されている各回路部の警報信号を常時モニタすることによって、どの部位に障害が発生しているのかを特定する。
【００２８】
例えば、監視部１７は、縦列接続されているラマンアンプ１０および光アンプ１１、並びに光アンプ１３および監視信号送受信部１４に接続されている。監視部１７は、ラマンアンプ１０で検出され、発出される主信号（光波長多重信号）入力断警報および監視信号入力断警報、並びに光アンプ１１，１３で検出され、発出される主信号（光波長多重信号）入力断警報をモニタするとともに、監視信号送受信部１４から発出される監視信号入力断警報をモニタしている。
【００２９】
同様に、監視部２７は、図１に示す例においては、縦列接続されているラマンアンプ２０および光アンプ２１、並びに光アンプ２３および監視信号送受信部２４に接続されている。監視部２７は、ラマンアンプ２０で検出され、発出される主信号（光波長多重信号）入力断警報および監視信号入力断警報、並びに光アンプ２１，２３で検出され、発出される主信号（光波長多重信号）入力断警報をモニタするとともに、監視信号送受信部２４から発出される監視信号入力断警報をモニタしている。
【００３０】
そして、監視部１７，２７は、モニタしている各警報に基づいて、障害を検知すると同時に、図２に示す障害箇所特定テーブルに基づいて、障害の発生箇所を切り分けて特定する。そして、監視部１７，２７は、障害の発生箇所を特定すると、特定した障害箇所とともに、障害が発生している旨を、保守員に対して通報する。図２は、障害箇所を切り分ける障害箇所特定テーブルの構成の一例を示す図である。
【００３１】
図２に示す障害箇所特定テーブルにおいて、“―”は警報が検出されていない状態、“○”は警報が検出されている状態、“●”は警報が回路内部では検出されているが、外部には警報が発出されない警報のマスク状態をそれぞれ示している。警報を自光回路で検出しても、外部にその警報を発出しない「警報のマスク状態」は、前段の光回路（ラマンアンプ）において既に警報が外部（自回路以外の回路、図１の例では監視部１７，２７）に発出されているので、後段の光回路（光アンプ）では警報を外部に発出する必要がない場合に生じる。図２の障害箇所特定テーブルは、障害の場合（ケース）番号を示す“Ｎｏ．”欄、ラマンアンプ１０の状態を表す“ラマンアンプ１０”欄、監視信号送受信部１４の状態を表す“ＯＳＣ”欄、光アンプ１１の状態を表す“光アンプ１１”欄、主信号の断警報を表す“ＬＯＳ”欄、ＯＳＣ信号の断警報を表す“ＳＶ  ＬＯＳ”欄、障害内容を表す“障害内容”欄およびラマンアンプと光アンプとの間を直結する光ファイバ１５の障害を表す“光ファイバ１５障害”欄を有して構成されている。
【００３２】
監視部は、障害箇所特定テーブルを参照して、光波長多重伝送システムにおける故障の有無、および故障箇所の特定を行う。監視部が障害箇所特定テーブルを参照して行う障害箇所は、そのテーブルにおけるケースＮｏ．毎の“障害内容”欄に記載してあるところにより、特定される。図２の障害箇所特定テーブルにおける“障害内容”欄では、自光波長多重装置（図２の障害箇所特定テーブルを参照して、障害箇所を特定しようとしている監視部が属する光波長多重装置）内の光回路、光ファイバに視点を置いて記載がなされており、光伝送路を介して自光波長多重装置に主信号及びＯＳＣ信号を送信する対向の光波長多重装置における光回路および光ファイバは“上流”を付して区別して記載がされている。以下では、光波長多重装置１が自光波長多重装置であり、光波長多重装置２が上流光波長多重装置であるとして説明する。また、光波長多重装置１，２においては、ＡＰＲは起動（ＡＰＲがＯＮ）され、ＡＰＲ（Automatic  Power  Reduction）制御がなされているものとする。
【００３３】
“障害内容”欄において、ＯＦ１は上流光波長多重装置２の出力を自光波長多重装置１へ伝送する伝送路の光ファイバ５０を表し、ＯＦ２は自光波長多重装置１におけるラマンアンプ１０と光アンプ１１とを接続する光ファイバ１５を表し、ＯＦ３は自光波長多重装置１内における光アンプ１１と監視信号送受信部１４とを接続する光ファイバ１８を表し、ＯＦ４は上流光波長多重装置２内における光アンプ２３と監視信号送受信部２４とを接続する光ファイバ２９を表す。“障害内容”欄における“出力低下”は、出力が所定の閾値以下であることを意味する。また、障害内容”欄における“ロス大”は、当該伝送路における伝送損失が所定の閾値以上であることを意味する。
【００３４】
以下、図２の障害箇所特定テーブルを参照して、図１の実施の形態の光波長多重伝送システムにおける故障箇所の特定方法を詳しく説明する。ケースＮｏ．１は、モニタ対象の各部が全て正常である場合を表している。ケースＮｏ．２は、ラマンアンプ１０の出力が低下したか、又はラマンアンプ１０と光アンプ１１とを接続する光ファイバ１５）における伝送損失が大きいことを表している。ケースＮｏ．３は、自光波長多重装置１内における光アンプ１１と監視信号送受信部１４とを接続する光ファイバ１８に障害があり、ＯＳＣ信号の信号路が遮断していることを表している。ケースＮｏ．４は、ＡＰＲ制御が正常に行われているときは、あり得ない場合である。ケースＮｏ．４が生じたときは、ＡＰＲ制御が実行されない程の多重障害が生じたときであり、例えば伝送路５０と５１との双方に障害が生じた場合などである。監視部１７自体又は監視部１７に警報を送る各光回路の警報検知部にエラーが生じたことを意味する。
【００３５】
ケースＮｏ．５は、光波長多重装置１，２相互を接続する光伝送路５０における伝送損失が大きいことを表している。ケースＮｏ．６は、上流の光波長多重装置２における光アンプ２３の遮断（シャットダウン）を表している。光アンプの遮断は、故障又は電源の遮断により生じる。光アンプの遮断の状態では、光アンプからの主信号の出力は停止されるが、監視信号送受信部から送られたＯＳＣ信号は光アンプをそのまま通過して、光伝送路へ出力される。ケースＮｏ．７は、ケースＮｏ．５とＮｏ．３の複合障害を表しており、光波長多重装置１，２を接続する光伝送路５０における伝送損失が大きく、かつ、自光波長多重装置１内における光アンプ１１と監視信号送受信部１４とを接続する光ファイバ１８の障害によりＯＳＣ信号の信号路が遮断していることを表している。
【００３６】
ケースＮｏ．８は、ラマンアンプ１０と光アンプ１１とを接続する光ファイバ１５に障害１００があり、その光ファイバ１５による信号路が遮断されたことを表す。ケースＮｏ．９は、上流の光波長多重装置２における監視信号送受信部２４の出力（ＯＳＣ信号）が低下したことを表している。ケースＮｏ．１０は、上流の光波長多重装置２における監視信号送受信部２４の出力（ＯＳＣ信号）が低下し、かつ自光波長多重装置１におけるラマンアンプ１０の出力が低下したことを表している。ケースＮｏ．１１は、上流の光波長多重装置２内における光アンプ２３と監視信号送受信部２４とを接続する光ファイバ２９に障害があるか、又は、上流の光波長多重装置２における監視信号送受信部２４に障害があることを表す。
【００３７】
ケースＮｏ．１２は、ＡＰＲが正常に行われているときは、あり得ない場合である。ケースＮｏ．１２が生じたときは、ＡＰＲ制御が実行されない程の多重障害が生じたときであり、例えば伝送路５０と５１との双方に障害が生じた場合などである。ケースＮｏ．１３は、上流の光波長多重装置２における監視信号送受信部２４の出力（ＯＳＣ信号）が低下し、かつ光伝送路５０における伝送損失が大きいことを表している。ケースＮｏ．１４は、ケースＮｏ．６とケースＮｏ．９の障害が重なって生じた場合であり、上流の光波長多重装置２における光アンプ２３の遮断（シャットダウン）があり、かつ上流の光波長多重装置２における監視信号送受信部２４の出力（ＯＳＣ信号）低下が起きたことを表している。
【００３８】
ケースＮｏ．１５は、ケースＮｏ．５とケースＮｏ．１１の障害が重なって生じた場合であり、光波長多重装置１，２相互を接続する光伝送路５０における伝送損失が大きく、かつ、上流の光波長多重装置２内における光アンプ２３と監視信号送受信部２４とを接続する光ファイバ２９に障害があるか、又は、上流の光波長多重装置２における監視信号送受信部２４に障害があることを表す。ケースＮｏ．１６は、光波長多重装置１，２相互を接続する光伝送路５０に障害があり、光伝送路５０による信号路が遮断されたことを表す。
【００３９】
以上、図２障害箇所特定テーブルを参照して、図１の実施の形態の光波長多重伝送システムにおける故障箇所を特定する方法を詳しく説明した。ＡＰＲ制御を行う光波長多重伝送システムでは、光伝送路５０は正常でも、監視信号送受信部１４でＯＳＣ信号の断が検出されれば、ラマンアンプ１０には主信号が入力されず、ラマンアンプ１０で主信号の断が検出されるので、ラマンアンプ１０と光アンプ１１とを接続する光ファイバ１５に障害１００が生じたにも拘わらず、光伝送路５０の障害と判断してしまうという欠点が、図３に関連技術として示した光波長多重伝送システムでは解決できないことは、図３を参照して先に説明した。
【００４０】
これに対し、図１の本発明の実施形態では、図２のケースＮｏ．８に示すように、ラマンアンプ１０と光アンプ１１とを接続する光ファイバ１５に生じた信号路遮断の障害１００が、ケースＮｏ．１６として示す光波長多重装置１，２相互を接続する光伝送路５０における信号路遮断の障害とは区別して識別できる。本実施の形態は監視部１７を備え、ラマンアンプ１０におけるＯＳＣ信号をモニタするので、ラマンアンプ１０で主信号断が検出されても、ラマンアンプ１０でＯＳＣ信号が検知され、しかも監視信号送受信部１４においてＯＳＣ信号の断が検知されているケースＮｏ．８が、ラマンアンプ１０で主信号断およびＯＳＣ信号の断が検知され、かつ、監視信号送受信部１４においてＯＳＣ信号の断が検知されるケースＮｏ．１６と区別できる。このように、監視部１７を備え、ラマンアンプ１０におけるＯＳＣ信号をモニタする図１の実施形態の構成により、光伝送路５０の障害と光ファイバ１５の障害とを区別できるのである。
【００４１】
ただし、本発明は、図１に示す構成に限るものではない。例えば、光波長多重装置１，２内の光信号の伝達系として縦列接続されている各光回路に、後段の光回路への光信号の出力を遮断するスイッチ回路を配置するような構成とし、光波長多重装置１，２内の光ファイバに障害が発生したことを特定した場合、該光ファイバに接続している前段の光回路のスイッチ回路を動作させて、当該光回路からの出力を遮断するようにしても良い。光波長多重装置１，２内の光信号の伝達系として縦列接続されている各光回路に、後段の光回路への光信号の出力を遮断するスイッチ回路を配置するような構成を図１の光回路に適用する例としては、光波長多重装置１における光ファイバ１５に障害が発生したことを特定した場合、該光ファイバ１５に接続されている前段の光回路であるラマンアンプ１０のスイッチ回路を動作させて、当該ラマンアンプ１０からの出力を遮断するようにする構成がある。
【００４２】
このような構成では、対向装置（例えば、光波長多重装置２）にはＡＰＲ命令を送信する必要はなくなり、対向装置側例えば光波長多重装置２側でも警報を保守員に発出して、無駄な障害対策を実施することを防ぐことができる。つまり、送信側の光アンプや光伝送路、例えば光波長多重装置２の光アンプ２３や光伝送路５０、には障害が発生していないにも関わらず、障害が発生した光波長多重装置１側からのＡＰＲ制御により、対向装置の光波長多重装置２側で不要な障害対策を実施することを防ぐことができる。図３の関連技術では、光波長多重装置１における光ファイバ１５に障害が発生した場合、対向装置側、例えば光波長多重装置２側でも警報を保守員に発出して、無駄な障害対策を実施することとなったが、光ファイバ１５の前段の光回路であるラマンアンプ１０のスイッチ回路を動作させて、ラマンアンプ１０からの出力を遮断するように構成することにより、上述のように、光波長多重装置２側における不要な障害対策の実施を防ぐことができる。なお、かかる場合には、図２の障害箇所特定テーブルの入力断警報の有無の組み合わせも変更して設定することになる。
【００４３】
障害箇所特定テーブルを参照して障害箇所を特定する監視部１７，２７は、ワイヤードロジックの光回路として構成しても良いし、あるいは、例えば、監視信号送受信部内のファームウェア（すなわち、各種の監視信号を処理し、光波長多重装置内および対向装置との間の制御を行うネットワークファームウェア）として実現するようにしても良い。
【００４４】
（実施形態の動作の説明）
次に、図１に示す光波長多重装置１,２の動作についてその一例を説明する。例えば、光波長多重装置２から光波長多重装置１へ光信号を送信する動作の場合、光アンプ２３に入力された光信号は、光アンプ２３で増幅され、光伝送路５０を通って、光波長多重装置１のラマンアンプ１０に入力される。ラマンアンプ１０は、ラマン散乱の原理を用いて、光信号を増幅する。ラマンアンプ１０で増幅された光信号は、光アンプ１１に入力され、光アンプ１１によって更に増幅されて、別の方路に出力される。逆に、別の方路から光波長多重装置１に入力された光信号は、光アンプ１３で増幅され、光アンプ１３から光伝送路５１へ出力される。
【００４５】
また、図１の光波長多重装置１，２は、図３の光波長多重装置１Ａ，２Ａの場合と同様、主信号（光波長多重信号）の他に、対向装置間を監視するための監視信号を１本の光ファイバである光伝送路５０及び別の１本の光ファイバである光伝送路５１を介して、対向装置との間で送受している。つまり、光波長多重装置を用いた図１の伝送システムは、監視信号送受信部１４と監視信号送受信部２４との間で該監視信号の通信をし、伝送路５０，５１の状態や光波長多重装置１および光波長多重装置２の状態の監視をしている。
【００４６】
前述したように、ＩＴＵ−Ｔ  Ｇ．６６４規格にて定義されているＡＰＲ制御は、監視信号を用いて行う。ＡＰＲ制御は、監視信号による伝送システムの監視の例である。いま、光伝送路５０に障害が発生した場合を考える。このとき、ラマンアンプ１０は、主信号断警報および監視信号断警報を発出する。また、光アンプ１１は主信号断警報を発出する。そして、監視信号送受信部１４は、光アンプ１１に入力される監視信号（ＯＳＣ信号）をモニタし、監視信号の断を検知し、監視信号断警報を発出する。監視信号の断を検知した監視信号送受信部１４は、ＡＰＲ実行命令を対向装置の光波長多重装置２に対して送信し、該ＡＰＲ実行命令を受け取った光波長多重装置２の監視信号送受信部２４は、光伝送路５０に光信号を送信する光アンプ２３に対して、出力レベルが高い主信号の停止命令を出力する。主信号の停止命令を受け取った光アンプ２３は、主信号の出力を停止させ、出力レベルを低下させるＡＰＲ動作を実行する。ただし、主信号の停止命令を受け取った光アンプ２３は、監視信号送受信部２４から送られた監視信号はそのまま出力する。
【００４７】
その結果、光伝送路５０からの光信号を受信する光波長多重装置１のラマンアンプ１０は、主信号入力断を検出し、主信号入力断警報を発出する。さらに、光波長多重装置２の監視信号送受信部２４および光アンプ２３においては、監視制御動作を停止させていないものの、光伝送路５０に障害が発生しているため、光波長多重装置１のラマンアンプ１０は、監視信号の断を検出し、監視信号断警報を発出する。
【００４８】
光伝送路５０に障害が発生している場合は、ラマンアンプ１０が主信号入力断警報と監視信号入力断警報とを発出するのみならず、ラマンアンプ１０からの主信号および監視信号が遮断されてしまうので、後段に接続されている光アンプ１１は主信号断警報を発出し、監視信号送受信部１４は監視信号入力断警報を発出する。
【００４９】
一方、光波長多重装置１のラマンアンプ１０と光アンプ１１との間の光ファイバ１５において、図１に示すような障害１００が発生した場合、光アンプ１１は主信号の断を検出し、主信号断警報を発出し、監視信号送受信部１４は監視信号の断を検出し、監視信号断警報を発出する。この結果、監視信号送受信部１４は、監視信号送受信部１４自身において監視信号断を検知し、監視信号断警報を発出していること、および、光アンプ１１から主信号断警報を受けることに伴い、ＩＴＵ−Ｔ  Ｇ．６６４規格に定義されているＡＰＲ制御を実行することになる。
【００５０】
したがって、前述したように、光波長多重装置１の監視信号送受信部１４は、ＡＰＲ実行命令を対向装置の光波長多重装置２に対して送信し、該ＡＰＲ実行命令を受け取った光波長多重装置２の監視信号送受信部２４は、光伝送路５０に送信する光アンプ２３に対して、出力レベルが高い主信号の停止命令を出力する。主信号の停止命令を受けた光アンプ２３は、主信号の出力を停止する。ただし、主信号の停止命令を受けた光アンプ２３は、監視信号はそのまま出力する。このように、ＡＰＲ実行命令を受け取った光波長多重装置２では、光アンプ２３は、主信号の出力を停止させ、出力レベルを低下させるが、監視信号はそのまま出力するＡＰＲ動作を実行する。
【００５１】
その結果、光伝送路５０からの光信号を受信する光波長多重装置１のラマンアンプ１０は、主信号断を検出し、主信号断警報を発出する。しかし、光波長多重装置２の監視信号送受信部２４および光アンプ２３は、監視制御動作を停止させていないので、光波長多重装置１のラマンアンプ１０は、光伝送路５０からの監視信号を受信し続け、監視信号断を検出することはなく、監視信号断警報は発出しない。
【００５２】
以上の説明から明らかなように、監視部１７は、図２の障害箇所特定テーブルを参照することにより、ラマンアンプ１０から主信号断警報および監視信号断警報を受け、光アンプ１１から主信号断警報を受け、更に監視信号送受信部１４から監視信号断警報を受けた場合（ケースＮｏ．１６）は、光伝送路５０に障害が発生しているものと判定し、一方、ラマンアンプ１０から主信号断警報を受けたが、監視信号断警報は受信せず、光アンプ１１から主信号断警報を受け、監視信号送受信部１４から監視信号断警報を受けた場合（ケースＮｏ．８）は、光波長多重装置１内のラマンアンプ１０と光アンプ１１との間の光ファイバ１５に障害１００が発生しているものと判定することができる。
【００５３】
ただし、光波長多重装置１，２内の光信号の伝達系を形成する各光回路に光信号の出力を遮断するスイッチ回路を備えているように構成しても故障箇所の特定ができることは前述したところである。かかる場合には、光信号の伝達系を形成する各光回路の間を接続する光ファイバに障害が発生したものと判定した場合、例えばラマンアンプ１０と光アンプ１１との間を接続する光ファイバ１５に障害１００が発生したものと判定した場合、障害が発生した当該光ファイバの前段に位置する光回路、例えば、障害１００が発生した光ファイバ１５の前段に位置するラマンアンプ１０のスイッチ回路を動作させて、光ファイバ１５への光信号の送信動作を停止させることとし、対向装置側へはＡＰＲ実行命令を送信しないように制御することも可能である。かかる場合には、ラマンアンプ１０では、主信号断警報および監視信号断警報のいずれも、発生しないことになる。
【００５４】
（実施形態の効果の説明）
以上に詳細に説明したように、図１に示した実施の形態の光波長多重伝送システム並びにこの光波長多重伝送システムに適用する光波長多重装置および光ファイバ障害検出方法では、監視部１７，２７において、光信号の伝達系として縦列接続している各光回路の警報状態をモニタした結果を組み合わせて、障害箇所特定テーブルと照合することによって、対向装置との光伝送路（例えば、光伝送路５０）および縦列接続している各光回路（例えば、ラマンアンプ１０、光アンプ１１、光ファイバ１５）のどの部位に障害が発生しているかを特定することが可能になり、図３に関連技術として例示した光波長多重伝送システムにおけるものよりも、障害復旧作業を容易にかつ短時間で行うことができる。
【００５５】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることが、当業者には容易に理解できよう。図１には、縦列に接続したラマンアンプおよび光アンプを有する光波長多重装置１，２でなる光波長多重伝送システムに本発明を適用する例を示した。しかしながら、本発明を適用する装置は、縦列に接続する光回路をラマンアンプや光アンプに限るものではない。例えば、光分岐器、光スイッチ、光カプラなど他の光回路であって、光信号断の検出機能を有するものを縦列に接続してなる光装置にも、本発明は適用できる。例えば、本発明の実施態様は、課題を解決するための手段の欄に記載した構成（１）の光通信装置に加えて、次のような構成として表現できる。
（２）前記光信号受信手段では前記主信号と前記監視信号との両方の信号の断が検知され、前記監視信号送受信部では前記監視信号の断が検知されたときは、前記信号元から前記光信号受信手段に至る光伝送路に障害があると判断する前記（１）に記載の光通信装置。
（３）前記監視信号送受信部は、ＩＴＵ−Ｔ規格に定義されているＡＰＲ（Automatic  Power  Reduction）制御機能を有し、該ＡＰＲ制御機能により前記主信号送信停止命令としてＡＰＲ実行命令を送信する前記（１）又は（２）に記載の光通信装置。
（４）前記光信号受信手段はラマンアンプであり、
前記光線路経由で受けた前記ラマンアンプの出力を増幅する光アンプを有し、
前記監視信号送受信部は前記光アンプで分岐された前記監視信号を検知し、
前記ラマンアンプの出力端は前記光アンプの入力端に前記光線路で直接に接続されている
ことを特徴とする（１）乃至（３）の何れかに記載の光通信装置。
（５）前記光信号受信手段における前記主信号および前記監視信号の検知情報並びに前記監視信号送受信部における前記監視信号の検知情報を受け、前記信号元から前記光信号受信手段に至る光伝送路および前記光線路の障害の有無を判断する障害箇所特定部を有する前記（１）乃至（４）の何れかに記載の光通信装置。
（６）前記障害箇所特定部は、前記光信号受信手段で検知した前記主信号および前記監視信号の有無に関する情報である光信号受信手段検知情報、並びに前記監視信号送受信部で検知した前記監視信号の有無に関する情報である監視信号送受信部検知情報を含む情報の組み合わせと障害箇所とを関連付けた障害箇所特定テーブルを備え、該障害箇所特定テーブルを参照することにより、障害の発生箇所を特定する前記（１）乃至（５）の何れかに記載の光通信装置。
（７）光信号である主信号の伝達系として光ファイバにより縦列接続された複数の光回路と、対向装置との間で光伝送路を介して光信号の監視信号を送受信する監視信号送受信部とを有し、前記対向装置との間で前記光伝送路を介して前記主信号および前記監視信号を多重して送受信する光通信装置であって、
複数の前記光回路における前記主信号の断の有無および前記監視信号の断の検知の有無並びに前記監視信号送受信部における前記監視信号の断の検知の有無の組み合わせに基づいて、障害の発生を検知するとともに、発生した該障害の発生箇所を特定する障害箇所特定部を有し、
前記監視信号送受信部は、前記主信号の断および前記監視信号の断の情報が初段の前記光回路から前記障害箇所特定部に入力されたとき、前記主信号の送信停止命令を前記監視信号により前記対向装置に送信し、
前記光回路の内の１つを光回路Ａ、光回路Ａの後続の前記光回路を光回路Ｂと称するとき、光回路Ａでは、前記主信号の断が検知されたにも拘らず、前記監視信号の断が検知されず、光回路Ｂでは、前記監視信号の入力断が検知されたときは、前記障害箇所特定部は光回路Ａおよび光回路Ｂの間に縦列に接続された光回路または光ファイバに障害があると判断する光通信装置。
（８）前記障害箇所特定部は、前記障害の発生を検知した際に、障害発生箇所が、前記光伝送路の障害か、前記主信号の伝達系として複数の前記光回路間を接続する装置内の前記光ファイバの障害であるかを判別するとともに、装置内の前記光ファイバの障害であると判別した場合、複数の前記光回路のいずれの光回路間を接続している光ファイバの障害であるかを判別して、判別した障害発生箇所を警報とともに出力する前記（７）に記載の光通信装置。
（９）光回路Ｂの入力端は光回路Ａの出力端に第１の光ファイバで直接に接続してあり、
光回路Ａでは、前記主信号の断が検知されたにも拘らず、前記監視信号の断が検知されず、かつ光回路Ｂでは、前記監視信号の断が検知されたときは、前記障害箇所特定部は前記第１の光ファイバに障害があると判断する前記（７）乃又は（８）に記載の光通信装置。
（１０）光回路Ａでは、前記主信号と前記監視信号との両方の信号の入力断が検知され、光回路Ｂでは、前記監視信号の入力断が検知された場合は、前記障害箇所特定部は前記光伝送路に障害があると判断する前記（７）乃至（９）の何れかに記載の光通信装置。
（１１）光回路Ａはラマンアンプであり、光回路Ｂは光アンプであり、該ラマンアンプの出力端は該光アンプの入力端に光ファイバで直接に接続されている前記（７）乃至（１０）の何れかに記載の光通信装置。
（１２）前記光回路それぞれに少なくとも前記主信号の出力を停止させるスイッチ回路を備え、前記障害箇所特定部は、前記光ファイバの障害であると判別した場合、障害と判別した当該光ファイバが接続されている前段の光回路の前記スイッチ回路を制御して、当該光回路から障害と判別した前記光ファイバへの前記主信号の出力を停止させることを特徴とする前記（７）乃至（１１）の何れかに記載の光通信装置。
（１３）前記障害箇所特定部は、前記光回路からの前記光信号の断警報と前記監視信号の断警報の有無、および、前記監視信号送受信部からの前記監視信号断警報の有無の組み合わせと障害箇所とを関連付けた障害箇所特定テーブルを備え、該障害箇所特定テーブルを参照することにより、前記障害の発生箇所を特定することを特徴とする前記（７）乃至（１２）の何れかに記載の光通信装置。
（１４）前記（１）乃至（１３）の何れかに記載の光通信装置を光伝送路により相互に接続して光波長多重信号を伝送する光波長多重伝送システム。
（１５）主信号と監視信号とが多重された光信号を受信する光信号受信手段と、
前記光信号受信手段の出力端に光線路を介して接続され、前記監視信号の有無を検知し、該監視信号が検知されないときは、前記主信号の送信元に対し該主信号の送信停止を命令する主信号送信停止命令を出力する監視信号送受信部とを有する光通信装置における前記光線路の障害を検出する方法であって、
前記光信号受信手段において前記主信号の断が検知されたにも拘わらず前記監視信号の断が検知されず、かつ前記監視信号送受信部では前記監視信号の断が検知されたとき、前記光線路に障害が生じたと判断する光線路障害検出方法。
（１６）光信号である主信号の伝達系として光ファイバにより縦列接続された複数の光回路と、対向装置との間で光伝送路を介して光信号の監視信号を送受信する監視信号送受信部とを有し、前記対向装置との間で前記光伝送路を介して前記主信号および前記監視信号を多重して送受信する光通信装置における光線路障害検出方法であって、
複数の前記光回路における前記主信号の断の有無および前記監視信号の断の有無並びに前記監視信号送受信部における前記監視信号入力断の検知の有無の組み合わせに基づいて、障害の発生を検知するとともに、発生した該障害の発生箇所を特定し、
前記主信号の断および前記監視信号の断の情報が初段の前記光回路から前記障害箇所特定部に入力されたとき、前記主信号の送信停止命令を前記監視信号により前記対向装置に送信し、
前記光回路の内の１つを光回路Ａ、光回路Ａの後続の前記光回路を光回路Ｂと称するとき、光回路Ａでは、前記主信号の入力断が検知されたにも拘らず、前記監視信号の断が検知されず、光回路Ｂでは、前記監視信号の断が検知されたときは、光回路Ａおよび光回路Ｂの間に縦列に接続された光回路または光ファイバに障害があると判断する
光線路障害検出方法。
（１７）前記（１５）又は（１６）に記載の光線路障害検出方法を、コンピュータによって実行可能なプログラムとして実施する光線路障害検出プログラム。
（１８）前記（１７）に記載の光線路障害検出プログラムを記録した、コンピュータによって読み取り可能なプログラム記録媒体。
【符号の説明】
【００５６】
１        光波長多重装置
２        光波長多重装置
１Ａ      光波長多重装置
２Ａ      光波長多重装置
１０      ラマンアンプ
１１      光アンプ
１３      光アンプ
１４      ＯＳＣ送受信部
１５      光ファイバ
１６      光ファイバ
１７      監視部
１８      光ファイバ
１９      光ファイバ
２０      ラマンアンプ
２１      光アンプ
２３      光アンプ
２４      ＯＳＣ送受信部
２５      光ファイバ
２６      光ファイバ
２７      監視部
２８      光ファイバ
２９      光ファイバ
３０      入力光信号欄
３１      ラマンアンプ欄
３２      光アンプ欄
３３      監視信号送受信部欄
３４      障害箇所欄
５０      光伝送路
５１      光伝送路
１００    障害
【図１】
2011019140.tif 000003
【図２】
2011019140.tif 000004
【図３】
2011019140.tif 000005